(57)【特許請求の範囲】
【請求項１】
第１のコネクタと、
第２のコネクタと、
を備えた接続ケーブルであって、
前記第１のコネクタおよび前記第２のコネクタは、それぞれ複数の構造物を備え、凹形状の構造物と凸形状の構造物とが、所定の基準線に対して線対称に配置されていて、
前記構造物は、信号端子であり、
前記凸形状の構造物は、雄端子であり、
前記凹形状の構造物は、雌端子であり、
前記信号端子を複数備え、
前記第１のコネクタの雌端子と前記第２のコネクタの雄端子とを接続する、または前記第１のコネクタの雄端子と前記第２のコネクタの雌端子とを接続する、第１信号線と、
前記第１のコネクタの雌端子と前記第２のコネクタの雌端子とを接続する、または前記第１のコネクタの雄端子と前記第２のコネクタの雄端子とを接続する、第２信号線と、
を備え、
前記第１のコネクタおよび前記第２のコネクタは、前記信号端子の配置態様が同じであり、
前記第２信号線で接続される前記第１のコネクタの前記信号端子および前記第２のコネクタの前記信号端子は、前記所定の基準線に対する配置が同じ雌端子または雄端子の信号端子に接続されていて、
前記第１信号線で接続される前記第１のコネクタの前記信号端子および前記第２のコネクタの前記信号端子は、前記所定の基準線に対して互いに対応する雌端子または雄端子の信号端子に隣接する雌端子または雄端子の信号端子に接続されていて、
前記第２信号線に接続される信号処理部を備えた、
接続ケーブル。
【請求項２】
電源線および接地線が前記所定の基準線上に配置されている、または前記所定の基準線に対して線対称に配置されている請求項１に記載の接続ケーブル。
【請求項３】
前記構造物は、多極端子である請求項１または請求項２に記載の接続ケーブル。
【請求項４】
請求項１乃至請求項３のいずれかに記載の接続ケーブルと、
収音部と、を備え、
前記信号処理部は、前記収音部で収音した音の信号を処理して前記第２信号線に出力する、マイク。
【請求項５】
請求項４に記載のマイクを複数備え、
かつ、各マイクの接続ケーブルのうち少なくとも１つの接続ケーブルと接続されるホスト装置を備えた信号処理システムであって、
各マイクの信号は、前記ホスト装置に送信され、
前記ホスト装置は、各マイクから受信した信号に基づいて、各マイクの信号処理内容を決定することを特徴とする信号処理システム。
【発明の詳細な説明】
【技術分野】
【０００１】
本発明は、ユニット間を接続するための接続ケーブルに関する。
【背景技術】
【０００２】
従来、ユニット間を接続する態様として、例えば特許文献１に示すようなディジーチェーン接続が知られている。特許文献１に示すディジーチェーン接続の各ユニットには、入力ポートおよび出力ポートが設けられている。
【先行技術文献】
【特許文献】
【０００３】
【特許文献１】特表２０１３−５４１８７８号公報
【発明の概要】
【発明が解決しようとする課題】
【０００４】
ユニット間を伝送される信号には向きがあり、利用者は、接続ケーブルの向きを意識してユニット間を接続する必要がある。ユニット数が増えるほど、接続は煩雑になる。
【０００５】
本発明は、ユニット間の接続の向きを意識する必要が無い接続ケーブルを提供することを目的とする。
【課題を解決するための手段】
【０００６】
接続ケーブルは、第１のコネクタと、第２のコネクタと、を備えた接続ケーブルであって、前記第１のコネクタおよび前記第２のコネクタは、それぞれ複数の構造物を備え、凹形状の構造物と凸形状の構造物とが、所定の基準線に対して線対称に配置されていることを特徴とする。
【０００７】
この様な接続ケーブルは、例えば、図８に示すように、所定の基準線上に信号端子、電源端子、およびグランド端子が配置されている態様において、該所定の基準線に対して、凸形状の構造物（突起）と凹形状の構造物（該突起が挿入される凹み）が配置された態様が考えられる。この場合、第１の端子も第２の端子も、基準線を挟んで線対称となるため、接続の向きを気にする必要は無い。
【０００８】
なお、例えば特許文献１には、ユニット内部の回路上で、２つのポートを、入力ポートまたは出力ポートにそれぞれ割り当てて、配線を切り替える手法が提案されているが、特許文献１の手法は、ソフトウェアまたはハードウェアで配線を切り替えるシステムを構築する必要がある。また、特許文献１の手法は、接続ケーブルを取り外す度に入力ポートまたは出力ポートを割り当てる必要がある。
【０００９】
これに対し、接続ケーブルが信号端子を複数備え、同じ信号線で接続されている一対の信号端子がそれぞれ第１のコネクタと第２のコネクタとにおいて異なる位置に配置されている態様とすれば、接続するユニット数が増大した場合でも、入力ポートと出力ポートとを切り替えるシステムを用いずとも入力ポートであるか出力ポートであるか意識する必要が無くなる。
【００１０】
なお、上記接続ケーブルでは、構造物自体が信号端子であってもよい。この場合、凸形状の構造物が雄端子となり、凹形状の構造物が雌端子となる。
【００１１】
なお、電源線および接地線は、所定の基準線上に配置されている、または所定の基準線に対して線対称に配置されている態様であってもよい。
【発明の効果】
【００１２】
この発明によれば、ユニット間の接続の向きを意識する必要が無い接続ケーブルを実現することができる。
【図面の簡単な説明】
【００１３】
【図１】図１（Ａ）は、信号処理システムのブロック図であり、図１（Ｂ）は、マイク内蔵型接続ケーブルの構造を示す図である。
【図２】図２（Ａ）は、コネクタの構造を示す図であり、図２（Ｂ）は、内部配線図および構成ブロック図である。
【図３】図３は、信号の流れを模式的に表した図である。
【図４】接地端子および電源端子の接続態様を示す断面概略図である。
【図５】図５（Ａ）は、ＤＳＰの機能的構成を示すブロック図であり、図５（Ｂ）は、ホスト装置の構成を示すブロック図である。
【図６】図６（Ａ）は、変形例１に係るコネクタの構造を示す図であり、図６（Ｂ）は、内部配線図および構成ブロック図である。
【図７】図７（Ａ）は、変形例２に係るコネクタの構造を示す図であり、図６（Ｂ）は、内部配線図および構成ブロック図である。
【図８】図８（Ａ）は、変形例３に係るコネクタの構造を示す図であり、図６（Ｂ）は、内部配線図および構成ブロック図である。
【図９】変形例４に係る接続ケーブルの内部配線図および構成ブロック図である。
【図１０】図１０（Ａ）は、変形例５に係るコネクタの構造を示す図であり、図１０（Ｂ）は、内部配線図および構成ブロック図である。
【図１１】図１１（Ａ）および図１１（Ｂ）は、変形例６に係るコネクタの構造を示す図であり、図１１（Ｃ）は、接続ケーブル間の配線を示す図である。
【図１２】図１２（Ａ）および図１２（Ｂ）は、延長ケーブルのコネクタの構造を示す図であり、図１２（Ｃ）は、接続ケーブル間の配線を示す図である。
【発明を実施するための形態】
【００１４】
図１（Ａ）は、信号処理システム１０の接続概念図であり、図１（Ｂ）は、マイク内蔵型接続ケーブル１の構造を示す分解斜視図である。
【００１５】
信号処理システム１０は、ホスト装置２と、複数のマイク内蔵型接続ケーブル（以下、単に接続ケーブルと称する。）１と、を備えている。この例では、信号処理システム１０は、４つの接続ケーブル１を備えている。
【００１６】
接続ケーブル１は、図１（Ｂ）に示すように、可撓性を有するケーブル本体１５と、ケーブル本体１５の両端部にそれぞれ配置された第１コネクタ１１および第２コネクタ１２と、ケーブル本体１５の途中に配置されたマイクホルダ１７と、グリル１９と、を備えている。
【００１７】
ケーブル本体１５は、断面が円形で中空形状となっている。ケーブル本体１５の内部の中空部分には、電源線、接地線、および信号線等の各種配線が通るようになっている。ケーブル本体１５の側面の一部は、平面となっていて、机上等の平面に設置しても転がりにくいようになっている。なお、ケーブル本体１５の断面形状はこの例に限るものではない。例えば、三角形の断面形状であってもよい。また、ケーブル本体１５の可撓性は、本発明において必須の構成要素ではない。
【００１８】
マイクホルダ１７は、ケーブル本体１５と同じ断面形状である。マイクホルダ１７は、樹脂または金属等の剛性部材からなり、収音部であるマイクユニット５０を保持する。マイクユニット５０は、マイクホルダ１７の断面を平面視して、中央に保持されている。マイクホルダ１７は、グリル１９に接続される。マイクホルダ１７も、中空形状となっていて、配線が通るようになっている。
【００１９】
グリル１９は、ケーブル本体１５と同じ断面形状である。グリル１９は、樹脂または金属等の剛性部材からなる。グリル１９の側面には、多数の孔が設けられていて、音響的に開放されている。マイクユニット５０は、グリル１９の孔を介して、周囲の音を取得し、収音信号を生成する。収音信号は、ホスト装置２に送信される。
【００２０】
また、グリル１９の内部のうち、平面になっている箇所には、ＤＳＰ等が実装された基板７０が配置されている。
【００２１】
第１コネクタ１１および第２コネクタ１２は、それぞれ他の接続ケーブル１またはホスト装置２に接続される物理的インタフェースである。第１コネクタ１１および第２コネクタ１２は、同じ形状となっている。
【００２２】
図２（Ａ）は、コネクタの構造を示す図であり、図２（Ｂ）は、ケーブル１の内部配線図および構成ブロック図である。
【００２３】
なお、第１コネクタ１１および第２コネクタ１２は、同じ構造であるため、代表して第１コネクタ１１について説明する。
【００２４】
第１コネクタ１１は、接地端子１１５、電源端子１１６、雄端子１１１Ａ、雄端子１１１Ｂ、雌端子１１２Ａ、および雌端子１１２Ｂを備えている。
【００２５】
雄端子１１１Ａ、雄端子１１１Ｂ、雌端子１１２Ａ、および雌端子１１２Ｂは、信号端子である。マイクユニット５０で生成された収音信号は、これら雄端子１１１Ａ、雄端子１１１Ｂ、雌端子１１２Ａ、または雌端子１１２Ｂを介して他の接続ケーブル１またはホスト装置２に送信される。
【００２６】
接地端子１１５および電源端子１１６は、図中の１点破線で示す中心線（所定の基準線）上に配置されている。接地端子１１５および電源端子１１６は、第１コネクタ１１の底面を平面視して左右線対称となっている。
【００２７】
雄端子１１１Ａおよび雄端子１１１Ｂは、第１コネクタ１１の底面を平面視して左側に配置されている。雌端子１１２Ａおよび雌端子１１２Ｂは、第１コネクタ１１の底面を平面視して右側に配置されている。これら雄端子１１１Ａ、雄端子１１１Ｂ、雌端子１１２Ａ、および雌端子１１２Ｂは、それぞれ上記基準線を挟んで左右線対称に配置されている。
【００２８】
第１コネクタ１１の右側は、雌端子１１２Ａおよび雌端子１１２Ｂの凹形状の深さと同じだけ高さが、相対的に高くなっている。第１コネクタ１１の左側は、雄端子１１１Ａおよび雄端子１１１Ｂの凸形状の高さと同じだけ、相対的に高さが低くなっている。
【００２９】
接地端子１１５および電源端子１１６が配置されている箇所の周辺は、第１コネクタ１１の左側よりも、雄端子１１１Ａおよび雄端子１１１Ｂの凸形状の高さの半分の高さだけ、相対的に高くなっている。
【００３０】
図４（Ａ）および図４（Ｂ）の一部断面図に示すように、接地端子１１５および電源端子１１６は、平板状の部材となっていて、周辺箇所よりもわずかに突出している。接地端子１１５および電源端子１１６は、第１コネクタ１１の内部で、導電性部材からなるバネが接続されている。これにより、第１コネクタ１１を他のコネクタと接続するときに、接地端子１１５同士および電源端子１１６同士が適切に電気的に接続される。
【００３１】
このように、第１コネクタ１１は、平面視して基準線を挟んで右側が雌側となり、左側が雄側となる雌雄一体型のコネクタである。よって、他の接続ケーブル１の第１コネクタ１１と接続することも可能であるし、第２コネクタ１２と接続することも可能である。
【００３２】
そして、図２（Ｂ）に示すように、第１コネクタ１１の雄端子１１１Ａは、内部の配線で第２コネクタ１２の雌端子１１２Ａに接続され、第１コネクタ１１の雄端子１１１Ｂは、第２コネクタ１２の雄端子１１１Ｂに接続され、第１コネクタ１１の雌端子１１２Ａは、第２コネクタ１２の雄端子１１１Ａに接続され、第１コネクタ１１の雌端子１１２Ｂは、第２コネクタ１２の雌端子１１２Ｂに接続されている。
【００３３】
また、第１コネクタ１１の接地端子１１５は、第２コネクタ１２の接地端子１１５、第１コネクタ１１の電源端子１１６は、第２コネクタ１２の電源端子１１６に接続されている。接地端子１１５および電源端子１１６に接続される信号線には、基板７０が接続されている。これにより、ＤＳＰ７０１に電源が供給される。
【００３４】
第１コネクタ１１の雄端子１１１Ｂおよび第２コネクタ１２の雄端子１１１Ｂに接続されている信号線には、ＤＳＰ７０１が接続されている。ＤＳＰ７０１は、マイクユニット５０で生成された収音信号を入力し、各種の信号処理を行う。
【００３５】
ＤＳＰ７０１は、例えば、マイクユニット５０が収音した音声から、エコー成分を除去するエコーキャンセラとして機能する。図５（Ａ）を参照して、エコーキャンセラについて説明する。図５（Ａ）に示すように、ＤＳＰ７０１は、機能的に、フィルタ係数設定部７４１、適応フィルタ７４２、および加算部７４３から構成される。
【００３６】
フィルタ係数設定部７４１は、音響伝達系（ホスト装置２のスピーカからマイクユニット５０のマイクに至る音響伝搬経路）の伝達関数を推定し、推定した伝達関数で適応フィルタ７４２のフィルタ係数を設定する。
【００３７】
適応フィルタ７４２は、例えばＦＩＲフィルタからなる。適応フィルタ７４２は、ホスト装置２から、当該ホスト装置２のスピーカ１０４（図５（Ｂ）を参照）に入力される放音信号ＦＥを入力し、フィルタ係数設定部７４１に設定されたフィルタ係数でフィルタ処理して、擬似回帰音信号を生成する。適応フィルタ７４２は、生成した擬似回帰音信号を加算部７４３へ出力する。
【００３８】
加算部７４３は、適応フィルタ７４２から入力された擬似回帰音信号を収音信号ＮＥ１から差し引き、収音信号ＮＥ１’を出力する。
【００３９】
フィルタ係数設定部７４１は、加算部７４３から出力された収音信号ＮＥ１’と放音信号ＦＥとに基づいて、ＬＭＳアルゴリズム等の適応アルゴリズムを用いてフィルタ係数の更新を行う。そして、フィルタ係数設定部７４１は、更新したフィルタ係数を適応フィルタ７４２に設定する。
【００４０】
ＤＳＰ７０１で信号処理が成された収音信号ＮＥ１’は、第１コネクタ１１の雌端子１１２Ｂおよび第２コネクタ１２の雌端子１１２Ｂに接続された信号線に出力される。
【００４１】
なお、ＤＳＰ７０１の機能は、エコーキャンセラに限るものではない。ホスト装置２の不揮発性メモリ１０５には、他にも、例えばＤＳＰ７０１にノイズキャンセラの機能を実現させるためのプログラムが記憶されている。ホスト装置２は、図５（Ｂ）に示すように、Ｉ／Ｆ１０１、ＣＰＵ１０２、ＲＡＭ１０３、スピーカ１０４、および不揮発性メモリ１０５を備えている。
【００４２】
Ｉ／Ｆ１０１は、上述のコネクタ１１と同じ構造を有するインタフェースを含む。Ｉ／Ｆ１０１は、他にも、他装置と通信するためのネットワークインタフェース等を含む。
【００４３】
ＣＰＵ１０２は、不揮発性メモリ１０５からプログラムを読み出し、ＲＡＭ１０３に一時記憶することで、種々の動作を行う。例えば、各接続ケーブル１のマイクユニット５０から収音信号を入力し、ネットワークを介して接続された他のホスト装置に収音信号を送信する。また、ネットワークを介して接続された他のホスト装置から、収音信号を受信し、スピーカ１０４から放音させる。これにより、ホスト装置２を含む信号処理システムは、音声会議システムとして機能する。
【００４４】
不揮発性メモリ１０５は、フラッシュメモリ、ＨＤＤまたはＳＳＤ等からなる。不揮発性メモリ１０５には、各接続ケーブル１におけるＤＳＰ７０１の動作用プログラムが記憶されている。ＣＰＵ１０２は、不揮発性メモリ１０５から所定の動作用プログラムを読み出し、Ｉ／Ｆ１０１を介して各接続ケーブル１のＤＳＰに送信する。動作用プログラムに係る信号は、収音信号を受信するための配線を介して、例えばＡＭ変調されることにより送信される。
【００４５】
次に、図３は、信号処理システム１０における信号の流れを模式的に表した図である。図３においては、便宜上、ホスト装置２に接続されている接続ケーブル１を接続ケーブル１−Ａと称し、ホスト装置２から遠ざかる順に、それぞれ接続ケーブル１−Ｂ、接続ケーブル１−Ｃ、および接続ケーブル１−Ｄと称する。また、接続ケーブル１−Ａのマイクで取得された収音信号をチャンネル１（Ｃｈ．１）と称し、順に、接続ケーブル１−Ｂのマイクで取得された収音信号をチャンネル２（Ｃｈ．２）、接続ケーブル１−Ｃのマイクで取得された収音信号をチャンネル３（Ｃｈ．３）と称し、接続ケーブル１−Ｄのマイクで取得された収音信号をチャンネル４（Ｃｈ．４）と称する。
【００４６】
上述したように、各接続ケーブル１のマイクユニット５０は、ＤＳＰ７０１を介して、第１コネクタ１１の雌端子１１２Ｂおよび第２コネクタ１２の雌端子１１２Ｂに接続されている。例えば、Ｃｈ．４の収音信号は、雌端子１１２Ｂから出力される。
【００４７】
そして、接続ケーブル１−Ｄの第１コネクタ１１または第２コネクタ１２を、他の接続ケーブル１−Ｃの第１コネクタ１１または第２コネクタ１２に接続すると、接続ケーブル１−Ｄの雌端子１１２Ｂは、他の接続ケーブル１−Ｃの雄端子１１１Ａに接続される。これにより、例えばＣｈ．４の収音信号は、接続ケーブル１−Ｃの雄端子１１１Ａに伝送される。雄端子１１１Ａは、接続ケーブル１の内部で、同じ信号線で雌端子１１２Ａに接続されている。したがって、Ｃｈ．４の収音信号は、接続ケーブル１−Ｃの雌端子１１２Ａに伝送される。
【００４８】
さらに、接続ケーブル１−Ｃの雌端子１１２Ａは、接続ケーブル１−Ｂの雄端子１１１Ｂに接続される。したがって、Ｃｈ．４の収音信号は、接続ケーブル１−Ｂの雄端子１１１Ｂに伝送される。そして、接続ケーブル１−Ｂの雄端子１１１Ｂは、接続ケーブル１−Ａの雌端子１１２Ａに接続される。したがって、Ｃｈ．４の収音信号は、接続ケーブル１−Ａの雄端子１１１Ａに伝送される。最終的に、Ｃｈ．４の収音信号は、ホスト装置２に設けられたコネクタのうち１つの信号端子（雌端子）を介して、当該ホスト装置２に送信される。
【００４９】
同様にして、Ｃｈ．３の収音信号、Ｃｈ．２の収音信号、およびＣｈ．１の収音信号も、それぞれ別の信号端子を介して、ホスト装置２に送信されることになる。
【００５０】
このように、本実施形態に示した接続ケーブルによれば、第１コネクタ１１と、第２コネクタ１２とは、同じ構造を有するため、どの接続ケーブルにおいても、接続の向きを気にする必要は無い。そして各接続ケーブル内のマイクユニットで生成された収音信号は、他の接続ケーブル内のマイクユニットで生成された収音信号と混じることなく、ホスト装置まで接続される。よって、入力ポートと出力ポートとを切り替えるシステムを用いずとも入力ポートであるか出力ポートであるか、ユニット間の接続を全く意識する必要が無いユニット内蔵の接続ケーブルを実現することができる。
【００５１】
次に、図６（Ａ）は、変形例１に係るコネクタの構造を示す図であり、図６（Ｂ）は、内部配線図および構成ブロック図である。変形例１に係る第１コネクタ１１Ｌおよび第２コネクタ１２Ｌは、基本構造として、第１コネクタ１１および第２コネクタ１２と同様である。
【００５２】
ただし、第１コネクタ１１Ｌおよび第２コネクタ１２Ｌでは、雄端子および雌端子の数が増え、それぞれ４つ設けられている。すなわち、雄端子１１１Ｃ、雄端子１１１Ｄ、雌端子１１２Ｃ、および雌端子１１２Ｄが増設されている。
【００５３】
雄端子１１１Ａ、雄端子１１１Ｂ、雄端子１１１Ｃ、および雄端子１１１Ｄは、第１コネクタ１１Ｌの底面を平面視して左側に配置されている。雌端子１１２Ａ、雌端子１１２Ｂ、雌端子１１２Ｃ、および雌端子１１２Ｄは、第１コネクタ１１Ｌの底面を平面視して右側に配置されている。これら雄端子１１１Ａ、雄端子１１１Ｂ、雄端子１１１Ｃ、および雄端子１１１Ｄと、雌端子１１２Ａ、雌端子１１２Ｂ、雌端子１１２Ｃ、および雌端子１１２Ｄは、それぞれ基準線を挟んで左右線対称に配置されている。
【００５４】
そして、図６（Ｂ）に示すように、第１コネクタ１１Ｌの雄端子１１１Ａは、第２コネクタ１２Ｌの雌端子１１２Ｂに接続され、第１コネクタ１１Ｌの雄端子１１１Ｂは、第２コネクタ１２Ｌの雌端子１１２Ａに接続され、第１コネクタ１１Ｌの雄端子１１１Ｃは、第２コネクタ１２Ｌの雄端子１１１Ｃに接続され、第１コネクタ１１Ｌの雄端子１１１Ｄは、第２コネクタ１２Ｌの雄端子１１１Ｄに接続されている。第１コネクタ１１Ｌの雌端子１１２Ａは、第２コネクタ１２Ｌの雄端子１１１Ｂに接続され、第１コネクタ１１Ｌの雌端子１１２Ｂは、第２コネクタ１２Ｌの雄端子１１１Ａに接続され、第１コネクタ１１Ｌの雌端子１１２Ｃは、第２コネクタ１２Ｌの雌端子１１２Ｃに接続され、第１コネクタ１１Ｌの雌端子１１２Ｄは、第２コネクタ１２Ｌの雌端子１１２Ｄに接続されている。
【００５５】
第１コネクタ１１Ｌおよび第２コネクタ１２Ｌは、差動信号を伝送するためのコネクタとなっている。例えば、雄端子１１１Ａおよび雄端子１１１Ｂは、１つのペアとなっていて、雄端子１１１Ａおよび雌端子１１２Ｂが正電圧、雄端子１１１Ｂ雌端子１１２Ａが負電圧を伝送する端子となっている。これら差動信号を伝送するための２つの端子を１つのペアとみなせば、信号の流れは、図３に示した流れと同様である。このように、差動信号を伝送する場合にも、本発明の接続ケーブルを適用することができる。
【００５６】
次に、図７（Ａ）は、変形例２に係るコネクタの構造を示す図であり、図７（Ｂ）は、内部配線図および構成ブロック図である。変形例２に係る第１コネクタ１１Ｍおよび第２コネクタ１２Ｍは、基準線を挟んで左右線対称に配置された接地端子１１５Ａおよび接地端子１１５Ｂと、電源端子１１６Ａおよび電源端子１１６Ｂと、を備えている。接地端子および電源端子以外の構成は、変形例２に係る第１コネクタ１１Ｌおよび第２コネクタ１２Ｌと同様である。
【００５７】
このように、接地端子と電源端子が、基準線上に配置されている必要はなく、信号端子と同様に、所定の基準線を挟んで線対称に配置される態様であってもよい。
【００５８】
なお、所定の基準線を挟んで線対称に配置される構成は、信号端子、接地端子、および電源端子に限るものではない。コネクタは、複数の構造物を備え、凹形状の構造物と凸形状の構造物とが、所定の基準線に対して線対称に配置されている態様であれば、本発明の範囲に含まれる。例えば、図８（Ａ）および図８（Ｂ）に示す変形例３に係る第１コネクタ１１Ｎ（第２コネクタ１２Ｎ）は、基準線を挟んで線対称に配置された凸部１７１と、凹部１７２と、を備えている。凸部１７１および凹部１７２は、例えば樹脂材料からなる第１コネクタ１１Ｎ（第２コネクタ１２Ｎ）と一体成型されてなる。
【００５９】
そして、第１コネクタ１１Ｎ（第２コネクタ１２Ｎ）は、基準線上に、接地端子１１５、電源端子１１６、信号端子１１１Ｎ、信号端子１１１Ｌ、信号端子１１２Ｎ、および信号端子１１２Ｌを備えている。
【００６０】
信号端子１１１Ｎは、図２に示した例の雄端子１１１Ａに相当する。信号端子１１１Ｌは、図２に示した例の雄端子１１１Ｂに相当する。信号端子１１２Ｎは、図２に示した例の雌端子１１２Ａに相当する。信号端子１１２Ｌは、図２に示した例の雌端子１１２Ｂに相当する。
【００６１】
このような構成においても、各接続ケーブル内のマイクユニットで生成された収音信号は、他の接続ケーブル内のマイクユニットで生成された収音信号と混じることなく、ホスト装置まで接続される。
【００６２】
次に、図９は、変形例４に係る接続ケーブル１Ｎの内部配線図および構成ブロック図である。接続ケーブル１Ｎは、複数のマイクユニット（マイクユニット５０−１、マイクユニット５０−２、・・・マイクユニット５０−ｎ）と、各マイクに接続されるＤＳＰ（ＤＳＰ７０１−１、ＤＳＰ７０１−２、・・・ＤＳＰ７０１−ｎ）と、各ＤＳＰを実装した基板（基板７０−１、基板７０−２、・・・基板７０−ｎ）を備えている。また、接続ケーブル１Ｎは、各ＤＳＰから出力された収音信号（パラレルデータ）を、シリアルデータとして出力する変換部７５を備えている。また、変換部７５は、ホスト装置２から送信されるデータ（シリアルデータ）を入力し、各ＤＳＰにパラレルデータとして供給する。例えば、ホスト装置２は、不揮発性メモリ１０５から、各ＤＳＰに送信するプログラムを一定の単位ビットデータに分割して読み出し、単位ビットデータを各ＤＳＰが受け取る順に配列したシリアルデータを作成する。変換部７５は、入力された単位ビットデータを先頭から抜き出し、ＤＳＰ７０１−１に入力する。２番目の単位ビットデータは、ＤＳＰ７０１−２に入力され、ｎ番目の単位ビットデータは、ＤＳＰ７０１−ｎに入力される。
【００６３】
また、当該構成により、ホスト装置２は、接続ケーブル１Ｎ内の各マイクユニットと、ホスト装置２との位置関係を求めることもできる。まず、ホスト装置２のＣＰＵ１０２は、スピーカ１０４からテスト音声を出力する。テスト音声は、例えばホワイトノイズを用いる。接続ケーブル１Ｎ内の各マイクユニットは、テスト音声に係る収音信号を出力する。当該テスト音声に係る収音信号は、ホスト装置２に送信される。ホスト装置２は、スピーカ１０４からテスト音声を出力してから、各マイクユニットから収音信号を受信するまでの時間差に基づいて、各マイクユニットとの距離を推定する。また、ホスト装置２は、収音信号から、音響伝達系の伝達関数（インパルス応答）を推定することもできる。推定した伝達関数は、各ＤＳＰに送信され、ＦＩＲフィルタのフィルタ係数として設定される。また、各マイクユニットとの距離に応じて、ＦＩＲフィルタのタップ長を変更することも可能である。このように、ホスト装置２は、各マイクから受信した信号に基づいて、各マイクの信号処理内容を決定することができる。
【００６４】
次に、図１０（Ａ）は、変形例５に係るコネクタの構造を示す図であり、図１０（Ｂ）は、内部配線図および構成ブロック図である。変形例５に係る第１コネクタ１１Ｘ（第２コネクタ１２Ｘ）は、多極端子が用いられている点が特徴である。内部配線および構成は、図７に示した第１コネクタ１１Ｍ（第２コネクタ１２Ｍ）と同様である。第１コネクタ１１Ｘ（第２コネクタ１２Ｘ）は、接地端子１１５Ａ、雄端子１１１Ａ、および雄端子１１１Ｂが１つの多極端子でまとめられている。また、電源端子１１６Ａ、雄端子１１１Ｃ、および雄端子１１１Ｄが１つの多極端子でまとめられ、接地端子１１５Ｂ、雌端子１１２Ａ、および雌端子１１２Ｂが１つの多極端子でまとめられ、電源端子１１６Ｂ、雌端子１１２Ｃ、および雌端子１１２Ｄが１つの多極端子でまとめられている。これにより、図７に示した第１コネクタ１１Ｍ（第２コネクタ１２Ｍ）よりも端子数が減る。
【００６５】
なお、端子の極数は、この例に限るものではない。２極端子であってもよいし、さらに多数の極数を備えた端子であってもよい。また、各極に割り当てられる機能は、この例に限るものではない。例えば、２極端子において、雄端子１１１Ａおよび雄端子１１１Ｂが１つの端子でまとめられる態様であってもよい。
【００６６】
次に、図１１（Ａ）および図１１（Ｂ）は、変形例６に係るコネクタの構造を示す図であり、図１１（Ｃ）は、接続ケーブル間の配線を示す図である。
【００６７】
第１コネクタ１１Ｐは、３つの雄端子１１１Ｐ、雄端子１１１Ｑ、および雄端子１１１Ｒと、凸部１５１Ｐと、を備えている。第２コネクタ１２Ｐは、３つの雌端子１１２Ｐ、雌端子１１２Ｑ、および雌端子１１２Ｒと、凹部１５２Ｐと、を備えている。
【００６８】
第１コネクタ１１Ｐおよび第２コネクタ１２Ｐは、平面視して三角形状の構造であり、当該三角形の各頂点に、各端子が設けられている。ただし、平面視した形状は、三角形に限るものではない。また、端子の数はこの例に限るものではない。
【００６９】
雄端子１１１Ｑと雌端子１１２Ｑとの間には、ＤＳＰ７０１および当該ＤＳＰ７０１を介して不図示のマイクユニット５０が接続されている。雄端子１１１Ｐと雌端子１１２Ｐは、内部の配線で接続され、雄端子１１１Ｒと雌端子１１２Ｒは、内部の配線で接続されている。
【００７０】
凸部１５１Ｐは、雄端子１１１Ｐと雄端子１１１Ｑとの間に配置されている。凹部１５２Ｐは、雌端子１１２Ｑと雌端子１１２Ｒとの間に配置されている。したがって、図１１（Ｃ）に示すように、これら凸部１５１Ｐと凹部１５２Ｐとがかみあう様に、第１コネクタ１１Ｐと第２コネクタ１２Ｐとを接続すると、雄端子１１１Ｐと雌端子１１２Ｑが接続され、雄端子１１１Ｑと雌端子１１２Ｒが接続され、雄端子１１１Ｒと雌端子１１２Ｐが接続される。
【００７１】
したがって、図１で示した接続ケーブル１と同様に、各接続ケーブルのＤＳＰ７０１から出力される収音信号は、他の接続ケーブル内のＤＳＰ７０１から出力される収音信号と混じることなく、ホスト装置まで接続される。よって、入力ポートと出力ポートとを切り替えるシステムを用いずとも入力ポートであるか出力ポートであるか意識する必要が無い接続ケーブルとなる。
【００７２】
図１２（Ａ）および図１２（Ｂ）は、延長ケーブルのコネクタの構造を示す図であり、図１２（Ｃ）は、接続ケーブル間の配線を示す図である。延長ケーブルの第１コネクタ１１Ｑおよび第２コネクタ１２Ｑは、それぞれ第１コネクタ１１Ｐおよび第２コネクタ１２Ｐと同じ構造を有するが、第１コネクタ１１Ｑには凸部が設けられていない。また、第２コネクタ１２Ｑには、全ての雌端子の間に、凹部１５２Ｐが設けられている。また、延長ケーブルには、マイクユニットやＤＳＰが設けられていない。
【００７３】
よって、図１２（Ｃ）に示すように、延長ケーブルは、他の接続ケーブルとどの様な向きであっても接続することができる。また、他の接続ケーブルから入力された収音信号をそのまま他方に伝送するだけである。
【００７４】
なお、本実施形態においては、全ての例において、マイク内蔵型接続ケーブル（マイク）を示したが、例えば、マイクの代わりにスピーカが設けられていてもよい。また、マイクの代わりにセンサ（例えば人感センサ）が設けられていてもよい。あるいは、マイクの代わりにＬＥＤ等の照明機能が設けられていてもよい。
【００７５】
また、以上の本実施形態の説明は、すべての点で例示であって、制限的なものではない。本発明の範囲は、本実施形態ではなく、特許請求の範囲によって示される。さらに、本発明の範囲には、特許請求の範囲と均等の意味および範囲内でのすべての変更が含まれる。
【符号の説明】
【００７６】
１…マイク内蔵型接続ケーブル
２…ホスト装置
１０…信号処理システム
１１，１１Ｌ，１１Ｍ，１１Ｎ、１１Ｐ，１１Ｑ，１１Ｘ…第１コネクタ
１２，１２Ｌ，１２Ｍ，１２Ｎ，１２Ｐ，１２Ｑ，１２Ｘ…第２コネクタ
１５…ケーブル本体
１７…マイクホルダ
１９…グリル
５０…マイクユニット
７０…基板
７５…変換部
１０１…Ｉ／Ｆ
１０２…ＣＰＵ
１０３…ＲＡＭ
１０４…スピーカ
１０５…不揮発性メモリ
１１１Ａ，１１１Ｂ、１１１Ｃ，１１１Ｄ，１１１Ｌ，１１１Ｎ，１１１Ｐ，１１１Ｑ，１１１Ｒ…雄端子
１１２Ａ、１１２Ｂ，１１２Ｃ，１１２Ｄ，１１２Ｌ，１１２Ｎ，１１２Ｐ，１１２Ｑ，１１２Ｒ…雌端子
１１５，１１５Ａ，１１５Ｂ…接地端子
１１６，１１６Ａ，１１６Ｂ…電源端子
１５１Ｐ、１７１…凸部
１５２Ｐ、１７２…凹部
７０１…ＤＳＰ
７４１…フィルタ係数設定部
７４２…適応フィルタ
７４３…加算部
【図１】
0006786816.tif 000002
【図２】
0006786816.tif 000003
【図３】
0006786816.tif 000004
【図４】
0006786816.tif 000005
【図５】
0006786816.tif 000006
【図６】
0006786816.tif 000007
【図７】
0006786816.tif 000008
【図８】
0006786816.tif 000009
【図９】
0006786816.tif 000010
【図１０】
0006786816.tif 000011
【図１１】
0006786816.tif 000012
【図１２】
0006786816.tif 000013